(57)【要約】【課題】小電流で２画面の転換表示ができる表示装置をつくる。【解決手段】基板上に軟質フィルムを蝶つがいとして支持されたフラップが基板の安定静止位置に倒れている時、前記フラップの中に固着して設けられた扁平永久磁石位置と、前記フラップが反対側に反転して倒れた時の磁石位置との、二つの位置に移動する間に、前記扁平永久磁石に対し、電磁力を作用させる一つの空芯コイルを基板の背面で、且つ、前記扁平永久磁石の二つの安定位置に対面させて固着する構成とした。【選択図】図１２
2018128651.tif 000002
【特許請求の範囲】
【請求項１】
２枚のシートで貼り合わせた表裏面を持つフラップを、そのフラップ一辺に付加した薄いフィルムで基板面上回動自由に支持させるとともに、扁平永久磁石を前記２枚のシートで挟むようにして、フラップの前記フィルム付加側に寄せて接着させ、その扁平永久磁石のある位置の基板背面位置に、Ｎ極、Ｓ極、両駆動永久磁石を交互に移動させ、前記扁平永久磁石に磁力を働かせ、前記フラップを交互に反転させることにより、前記フラップの表裏シートの画面内容を交互に見せるようにした２画面交互転換表示装置において、前記フラップ反転後に前記フラップ中の扁平永久磁石が前記基板面上にある位置と、さらに、逆反転後に前記扁平永久磁石が前記基板面上にある位置との二つの位置に対面している基板の背面位置に、前記フラップの反転後と、逆反転後の二つの位置に移動する過程に前記扁平永久磁石に対し電磁力作用を及ぼし得る空芯コイルを、前記基板背面に固着し、任意の電力供給回路により前記空芯コイルに直流の正方向電流、又は、逆方向電流を流すことにより、２画面の転換表示のできることを特徴とする表示装置。
【請求項２】
請求項１の前記任意の電力供給回路を所定の短通電時間に設定されたプラスまたは、マイナスのパルス電流発生回路にするとともに、前記空芯コイル背後に強磁性体の小片を配置して設けたことを特徴とする請求項１に記載の表示装置。
【発明の詳細な説明】
【技術分野】
【０００１】  本発明は、広告または告知表示画面を施したフラップの反転駆動を電磁気的手段で行う表示装置に関するものである。
【背景技術】
【０００２】  従来、基板に一辺を軟質フィルムで継止され、表裏に広告表示画面の印刷されたフラップを広告画面のある基板上で反転させ、フラップ表裏の画面を交互に表示させるために、基板背後でＮ極、Ｓ極の二つの磁石を移動させ、フラップ埋設の磁石に磁力を作用させ、反転させる広告用２画面転換の表示装置があった。【０００３】  しかし、前記二つの磁石を機械的に移動させるためのＤＣモータや減速機やリンク装置などに費用が掛かり、高価になることや、ＤＣモータへの電流値が大きく、電源乾電池の寿命が短いために、Ｎ極磁石とＳ極磁石の移動のための機械的手段に代えて電磁気的手段をとる方向で研究した。【０００４】  その電磁気的手段の１例としての、後記実用新案文献の表示装置では、その表示装置単体をモザイク状に多数個配置し、個々の表示装置を選択的に表示させることで、文字や数字を表示する目的で考案されたものであった【０００５】  その実用新案文献によると、平板に埋設の磁石ＮＳ磁極に対し、電磁力を作用させる二つの電磁石を並列させ、二つ同時に、Ｎ磁極または、Ｓ磁極の同磁極に励磁することにより、平板埋設の磁石ＮＳ磁極に電磁力を作用させ、平板を反転駆動させていた表示装置であった。
しかしながら、この方法では、平板埋設の磁石が平板の安定位置である電磁石上面の鉄片に引き付けられているとき、平板を反転させるために、平板埋設の磁石が前記鉄片への磁気吸引力以上の磁気反発力を必要とするため、必要以上の電力を電磁石のコイルに流さねばならず、不経済であり、また、二つの電磁石の価格も高く、広告や告知表示には不適であった。
【先行技術】
【０００６】
【実用新案文献】
公開実用  昭和５１年−１０７１８５号公報
【発明の概要】
【発明が解決しようとする課題】
【０００７】  その実用新案文献に示されているように、平板１を回動自由に支持している基板６と平板１をモザイク状表示の文字や数字の１部分として表示させるのでなく、平板１や基板６を広告や告知表示の描ける、より広い面積にして反転させることのできるようにすることが第１の課題であった。
第２の課題として、実用新案文献のような鉄片や鉄芯やコイル９，１３で構成された二つの電磁石７、１１の代わりに一つの空芯コイルにするとともに、それらの電磁石７、１１を励磁する非効率な過大電流を無くし、高効率の空芯コイルにすることである。【０００８】  本発明は、このような状況を鑑みてなされたものであり、消費電力が少なく、広告や告知内容の描かれた２画面の変換ができる表示装置の提案を課題とする。
【課題を解決するための手段】
【０００９】  第１の課題としては、既に従来から２枚のシートで貼り合わせた表裏面を持つフラップを、そのフラップ一辺に付加した薄い軟質フィルムで基板面上回動自由に支持させるとともに、扁平永久磁石を前記２枚のシートで挟むようにして、フラップの前記フィルム付加側に寄せて接着させ、その扁平永久磁石のある位置の基板背面位置に、Ｎ極、Ｓ極、両駆動永久磁石を移動させ、交互に前記フラップの扁平永久磁石に対面するようにさせ、前記扁平永久磁石に磁力を働かせ、前記フラップを交互に反転させることにより、前記フラップの表裏シートの画面内容を交互に見せるようにした２画面交互転換表示装置があり、既に、実用新案文献の平板構成を大幅に改善変更し解決している。【００１０】  請求項１の発明は、前記の２画面交互転換表示装置のフラップ反転動作を前記駆動永久磁石の機械的移動の手段ではなく、１個の空芯コイルへの通電方向を変える手段により行い、その電磁気的駆動を実用新案文献の電磁石２個タイプから１個の空芯コイルにしてもその反転動作を確実に行えるようにしたことに特徴のある発明である。【００１１】  この発明の特徴ある動作は、次の構成により実現できるものである。
前記２画面交互転換表示装置のフラップが反転後に前記扁平永久磁石が前記基板面上にある位置と、さらに、逆反転後に前記扁平永久磁石が前記基板面上にある位置とに対面している基板背面位置に、前記フラップの反転後と、逆反転後の二つの位置にある前記扁平永久磁石の前記基板面上面積を合わせた磁界領域に磁気的作用を及ぼし得る空芯コイルを、前記基板背面に固着し、任意の電力供給回路により前記空芯コイルに直流の正方向電流、又は、逆向き電流を流すことにより、２画面の転換表示ができることを特徴とする表示装置にしている。【００１２】    請求項２の発明は、請求項１の発明の任意の電力供給回路を、所定の短時間通電幅に設定されたプラスまたは、マイナスのパルス電流発生回路にするとともに、前記空芯コイル背後に強磁性体の小片を配置して設けたことを特徴とし、フラップ反転動作時にだけ空芯コイルにプラス又は、マイナスのパルス電流を流し、フラップの安定静止位置では、前記空芯コイル背後にある強磁性体小片への前記扁平永久磁石吸引力でフラップを保持することを特徴とする請求項１に記載の表示装置である。
【発明の効果】
【００１３】  請求項１の発明によれば、従来技術としてある２画面転換表示装置が機械的手段でフラップの扁平永久磁石に対面させるＮ極やＳ極の駆動永久磁石を移動させていた奥行きの必要な構造が、空芯コイルの厚さの奥行きの少ない構造になり、壁掛け設置などに有利になるとともに、直流モータや歯車機構、リンク装置等、組立ても複雑でコスト高になっていたのに比べ、空芯コイルとコイルへの通電回路だけの簡単な構成になった低コストになり、一般に普及しやすい販売価格にすることができる効果がある。【００１４】  さらに、直流モータの消費電流が８ｍＡ程度なのに対し空芯コイルの固有抵抗４２０Ωに流れる電流は４ｍＡ程度で乾電池の持続時間が倍増する効果がある。
また、請求項２の発明によれば、反転動作時に０．４秒だけコイル通電するので、更に乾電池の持続時間が直流モータに比べ、１０倍から３０倍になる効果がある。【００１５】  更に、請求項２の発明によれば、何らかの告知や警告表示に応用した場合、頻繁に３秒〜５秒毎に画面転換する広告用と違って、画面転換頻度によっては、乾電池寿命を非常に長くすることができ、太陽電池電源での作動が可能なほど消費電流が少ないため、僻地で電源の供給ができない場所で、無線通信制御による告知や警告をする表示装置として、特に明るい昼間での告知表示として大きな告知効果がある。【００１６】  前記実用新案文献の表示装置より、単独でより大きな表示面に出来る効果があり、二つの電磁石を作るための多くの部品を使わないでも画面転換できるので、低コストになり、一般に普及しやすい販売価格にすることができる効果がある。
【図面の簡単な説明】
【００１７】
【図１】実施例の広告用２画面転換表示装置の第１面表示中の正面図である。
【図２】同上実施例の広告用２画面転換表示装置の第２面表示中の正面図である。
【図３】同上実施例の広告用２画面転換表示装置の第１面表示中の背面図である。
【図４】同上実施例の広告用２画面転換表示装置の第１面表示中の側面図である。
【図５】同上実施例の広告用２画面転換表示装置の第１面表示中の背面図中Ｃ−Ｃ縦断拡大側面図である。
【図６】同上実施例の広告用２画面転換表示装置の第１面表示中の背面図中Ａ−Ａ横断平面図である。
【図７】同上実施例の広告用２画面転換表示装置の第１面表示中の背面図中Ｂ−Ｂ横断拡大平面図である。
【図８】同上実施例の広告用２画面転換表示装置の電力供給回路である。
【図９】同上実施例の広告用２画面転換表示装置の電力供給回路から供給される空芯コイル電流の時間推移グラフである。
【図１０】広告ディスプレイに応用の実施例であり、２画面転換表示装置二つを一つの電力供給回路で作動させる実施例の正面図である。
【図１１】告知用の実施例であり、その背面図である。
【図１２】同上実施例の告知表示面がフラップの反転によって転換する状況を示す斜視図である。
【図１３】同上実施例の空芯コイルへの電流切り替え正スイッチの回路関係図
【図１４】同上実施例の空芯コイルへの電流切り替え逆スイッチの回路関係図
【図１５】同上実施例の空芯コイルへの電流の時間推移グラフである。
【図１６】従来例としての広告用２画面転換表示装置の背面図である。
【図１７】同上従来例のフラップ反転後を示す広告用２画面転換表示装置の背面図である。
【図１８】同上従来例のフラップ反転後を示す広告用２画面転換表示装置の背面図中に一点鎖線で示すＤ−Ｄ縦断側面図である。
【図１９】実用新案文献の公開実用昭和５１年−１０７１８５号公報中にあった表示装置の斜視図である。
【発明を実施するための形態】
【００１８】  本発明を実施するための形態に関する実施例を以下に説明する。
【００１９】（構造説明）
図１は本実施例の正面図であり、基板１に０．０１ｍｍのポリプロピレン製テープ２で蝶つがい状に片開き可能に支持されたフラップ３が基板１の右に倒れ、フラップ面の画面と基板面の画面と合わせて、第１面の表示をしている。
図２は、前記フラップ３が基板１の左側に倒れ、フラップと基板で第２面の表示をしている。図中、円形永久磁石４は、１ｍｍの厚さで、φ１５ｍｍの希土類磁石である。
図３に示すほぼ四角形リングは、空芯コイル５であり、基板１の背面に固着している。
図５と図７は拡大したフラップ３の蝶つがい部の構造として、基板１とテープ２の固着方法の１例を示している。この構造は、従来から市販されている公知の技術であり詳細な説明を省略する。
図８は、本発明の電力供給回路であり、非安定マルチバイブレ−タなどの自走発振回路からに信号をオペアンプ６で増幅し、プッシュプル回路で図９のグラフのように空芯コイルに３秒おきに電流方向を変え、空芯コイル５の磁力線方向を変え、フラップ３の円形永久磁石４に働く磁力方向を変え、フラップ３を反転させるものである。
図１０のＰＯＰ広告ディスプレイは、図１の表示構成を二つ並べ、二つの空芯コイル５ａ、５ｂに対し一つの電力供給回路で同時に通電し、二つのフラップ３ａ、３ｂを同時に反転させるようにしたものである。
図１１は請求項２の実施例であり、環状の空芯コイル５の背面にφ０．３の鉄線７が固着されている。
図１３は、電流方向切替スイッチ８により、無極性電解コンデンサー９と空芯コイル５に乾電池１０から電流を右向き矢印方向に流し、無極性電解コンデンサー９の図中左端子がプラスになっている。
図１４は、電流方向切替スイッチ８により、無極性電解コンデンサー９と空芯コイル５に乾電池１０から電流を左向き矢印方向に流し、無極性電解コンデンサー９の図中右端子がプラスになっている。
図１５は、電流方向切替スイッチ８により、無極性電解コンデンサー９に充電、または放電電流として空芯コイル５に乾電池１０から流れる電流の時間推移と、電流方向切替スイッチ８のスイッチ桿８ｃの操作との関係、及び画面の表示期間を示している。
【００２０】（動作説明）
本発明の動作を説明する前に、図１６で示す公知のフラップ３の正反転、逆反転交互動作により広告用の２画面転換をする表示装置の動作を説明する。
この従来例の正面側の２画面表示構造は、既に、図１、図２で説明したものと同じであるが、背面側の構造と動作は違っており、基板１背後でＮ極、Ｓ極の二つの磁石を上下に往復移動させ、フラップ３埋設の永久磁石４に磁力を作用させ、反転させる広告用２画面転換の表示装置である。
図１７、図１８で示すように基板１背面に磁石移動ガイドレール９が２列あり、そのガイドレール９に沿って基板１背面に沿ってＮ極、Ｓ極の二つの駆動永久磁石１０ｎ、１０ｓが鉄板１１により連結された状態で上下に移動できるようになっている。
一方、直流モータ１２から歯車機構で減速した出力軸１３に取り付けられたクランク１４からリンク板１５を経て前記鉄板１１に設けた突出軸１６にリンク連結している。
モータ１２が回転し、出力軸が回転すると鉄板１１とともに、二つの駆動永久磁石１０ｎ、１０ｓが初め図１６のように、駆動永久磁石１０ｎがフラップに埋設の円形永久磁石４と向き合っていたのが、上に移動し、その移動過程で駆動永久磁石１０ｓが前記円形永久磁石４に近づくと、円形永久磁石４に反発力を働かせ、フラップ３を反転させ、図１７のように駆動永久磁石１０ｓが、反転後の左側位置にある円形永久磁石４と向き合うことになる。
このように、フラップ３の反転と共に円形永久磁石４も反転し、反転前の位置と反転後の位置の二つの位置にある円形永久磁石４面積を含む駆動永久磁石１０ｓまたは、１０ｎの面積が向き合うようにすれば、フラップ３の反転ができる。
本発明の請求項１の動作は、前記従来例の駆動永久磁石１０ｎ、１０ｓ移動の代わりに空芯コイル５への通電方向を変えることで動作させたものである。
請求項２の動作としては、フラップ３の反転には０．４秒ほど前記空芯コイル５に通電すれば反転を終えるので、その後フラップ３にフラップ自身の自重により、基板１が前側に傾いて設置した場合、反転後に半開きになってしまうのを防ぐ目的で、φ０、３ｍｍの強磁性体、例えば鉄線１７を空芯コイル５の背面側に固着させることで、フラップの円形永久磁石４が前記鉄線１７に吸引磁力で引き付けられ、反転後も確実に反転状態を保持させることができる。
【産業上の利用可能性】
【００２１】  本発明は、ＰＯＰ広告用の他、電源、電線などの取りにくい所での交通信号機や僻地での危険警告機など、無線での制御による告知表示に利用することができる。用できる。
【符号の説明】
【００２４】１  基板
２  薄い軟質フィルム
３  フラップ
４  円形永久磁石
５  空芯コイル
６  オペアンプ
７  鉄線
８  電流方向切替スイッチ
９  ガイドレール
１０  駆動永久磁石
１１  鉄板
１２  直流モータ
１３  出力軸
１４  クランクアーム
１５  リンク連結板
１６  突出軸
【図１】
2018128651.tif 000003
【図２】
2018128651.tif 000004
【図３】
2018128651.tif 000005
【図４】
2018128651.tif 000006
【図５】
2018128651.tif 000007
【図６】
2018128651.tif 000008
【図７】
2018128651.tif 000009
【図８】
2018128651.tif 000010
【図９】
2018128651.tif 000011
【図１０】
2018128651.tif 000012
【図１１】
2018128651.tif 000013
【図１２】
2018128651.tif 000014
【図１３】
2018128651.tif 000015
【図１４】
2018128651.tif 000016
【図１５】
2018128651.tif 000017
【図１６】
2018128651.tif 000018
【図１７】
2018128651.tif 000019
【図１８】
2018128651.tif 000020
【図１９】
2018128651.tif 000021